(57)【要約】【課題】閉塞蓋の効果が大きく、バール孔を閉蓋する小蓋の動きがスムーズで、小蓋を元に復帰しやすくすることを目的とする。【解決手段】円形状の受け枠と、受け枠の上部開口を開閉する蓋と、受け枠と蓋とを連結する蝶番と、蓋の蝶番と対向する周縁にバール孔を刻設した地表設置鉄蓋において、蓋のバール孔を塞ぐバネで付勢した小蓋を備えた閉塞具を、バール孔の下方の蓋の裏面に回動自在に設け、閉塞具は、アームに小蓋およびねじコイルバネを外嵌め状に装着させて枢着する第一ヒンジと、さらに、枢着し、蓋裏面周縁に立設したブラケットに枢着する第二ヒンジとを備えた、バールで小蓋を押し下げると小蓋は周壁に干渉しないように移動し、バールの押し下げ力を解除すると、小蓋はバネの付勢力でバール孔を閉塞するようにした地表設置鉄蓋のバール孔閉塞装置とした。【選択図】　図１１
2004092109.tif 000002
【特許請求の範囲】
【請求項１】
円形状の受け枠と、受け枠の上部開口を開閉する蓋と、受け枠と蓋とを連結する蝶番と、蓋の蝶番と対向する周縁にバール孔を刻設した地表設置鉄蓋において、蓋のバール孔を塞ぐバネで付勢した小蓋を備えた閉塞具を、バール孔の下方の蓋の裏面に回動自在に設け、閉塞具は、アームに小蓋およびねじコイルバネを外嵌め状に装着させ枢着する第一ヒンジと、さらに枢着し、蓋裏面周縁に立設したブラケットに枢着する第二ヒンジとを備え、バールで小蓋を押し下げると小蓋は周壁に干渉しないように移動し、バールの押し下げ力を解除すると、小蓋はバネの付勢力でバール孔を閉塞するようにした地表設置鉄蓋のバール孔閉塞装置。
【請求項２】
円形状の受け枠と、受け枠の上部開口を開閉する蓋と、受け枠と蓋とを連結する蝶番と、蓋の蝶番と対向する周縁にバール孔を刻設した地表設置鉄蓋において、蓋の裏面に装着した浮上防止具に、蓋のバール孔を塞ぐバネで付勢した小蓋を備えた閉塞具を装着し、バール孔の下方の蓋の裏面に回動自在に設け、バールで小蓋を押し下げると小蓋は周壁に干渉しないように移動し、バールの押し下げ力を解除すると、小蓋はバネの付勢力でバール孔を閉塞するようにした地表設置鉄蓋のバール孔閉塞装置。
【発明の詳細な説明】
【０００１】
【発明の属する技術分野】
本発明は、地表設置鉄蓋のバール孔閉塞装置に関するものである。
【０００２】
【従来の技術】
従来の地表設置鉄蓋のバール孔閉塞装置としては、図２０に示すものがある。
【０００３】
受け枠１０１の上部開口を開閉する蓋１０２には、蝶番の対向する周縁にバールを挿入するバール孔１０３が刻設してある。バール孔１０３から土砂や水が入らないように支点１０４のまわりに回動する天秤（小蓋）１０５が設けてある。
【０００４】
バール孔１０３にバールを挿入すると、天秤１０５は支点１０４のまわりに回動して下方に移動する。天秤１０５が回動中、周壁１０６に衝合しないようにするために、天秤１０５と周壁１０６との間には３ｍｍ以上の隙間を取らざるを得ず、閉塞蓋の効果が少ないものである。
【０００５】
【発明が解決しようとする課題】
従来の地表設置鉄蓋のバール孔閉塞装置では、閉塞蓋の効果が少なく、また、バール孔を閉塞する小蓋の動きがスムーズでなく、小蓋が元に復帰しにくい欠点があった。
【０００６】
【課題を解決するための手段】
そこで、本発明は、上記の事情に鑑み、閉塞蓋の効果が大きく、バール孔を閉塞する小蓋の動きがスムーズで、小蓋を元に復帰しやすくすべく、円形状の受け枠と、受け枠の上部開口を開閉する蓋と、受け枠と蓋とを連結する蝶番と、蓋の蝶番と対向する周縁にバール孔を刻設した地表設置鉄蓋において、蓋のバール孔を塞ぐバネで付勢した小蓋を備えた閉塞具を、バール孔の下方の蓋の裏面に回動自在に設け、閉塞具は、アームに小蓋およびねじコイルバネを外嵌め状に装着させ枢着する第一ヒンジと、さらに枢着し、蓋裏面周縁に立設したブラケットに枢着する第二ヒンジとを備え、バールで小蓋を押し下げると小蓋は周壁に干渉しないように移動し、バールの押し下げ力を解除すると、小蓋はバネの付勢力でバール孔を閉塞するようにした地表設置鉄蓋のバール孔閉塞装置とした。
【０００７】
また、本発明は、閉塞蓋の効果が大きく、バール孔を閉塞する小蓋の動きがスムーズで、小蓋を元に復帰しやすくすべく、円形状の受け枠と、受け枠の上部開口を開閉する蓋と、受け枠と蓋とを連結する蝶番と、蓋の蝶番と対向する周縁にバール孔を刻設した地表設置鉄蓋において、蓋の裏面に装着した浮上防止具に、蓋のバール孔を塞ぐバネで付勢した小蓋を備えた閉塞具を装着し、バール孔の下方の蓋の裏面に回動自在に設け、バールで小蓋を押し下げると小蓋は周壁に干渉しないように移動し、バールの押し下げ力を解除すると、小蓋はバネの付勢力でバール孔を閉塞するようにした地表設置鉄蓋のバール孔閉塞装置とした。
【０００８】
【発明の実施の態様】
本発明を添付する図面に示す具体的な実施例に基づいて、以下詳細に説明する。
【０００９】
図１および図２に本発明の全体の概略を示す。本発明の地表設置鉄蓋は、円形状の受け枠１と、受け枠１の上部開口を開閉する蓋２と、受け枠１と蓋２とを連結する蝶番３とよりなる。
【００１０】
蝶番３は略円弧状に形成し、上端に支軸４を設け、下端に係止片５を突設させている。
【００１１】
蓋２の蝶番３と対向する周縁にバール孔６を刻設する。
【００１２】
図３、図４に示すように、蓋２裏面のバール孔６の両側にブラケット７を垂設する。
【００１３】
図５は、本地表設置鉄蓋の斜視図、図６は閉塞具８の分解斜視図である。
【００１４】
閉塞具８は両側面Ｌ字状のアーム９と、蓋２のバール孔６を塞ぐ小蓋１８および小蓋１８をバール孔６の閉蓋方向に付勢するねじりコイルバネ１０を外嵌め状に装着させ、アーム９に枢着する第一ヒンジ１１がある。
【００１５】
第二ヒンジ１２は、前記第一ヒンジ１１の下方側部のアーム９に枢着する。符号１３は座金、符号１４・１５は割りピンである。
【００１６】
第一ヒンジ１１は小蓋１８のブラケット１６の挿通孔１７に第一ヒンジ１１を挿入し、ブラケット１６の両側にねじりコイルバネ１０を位置させ、その端部４１をアーム９の側面４２に当接させ、ねじりコイルバネ１０の中央部４３を小蓋１８の裏面に当接させ、小蓋１８とアーム９の側面４２間の角度が狭められるとねじりコイルバネ１０により復元するようにする。
【００１７】
第二ヒンジ１２はアーム９の下方側部の挿通孔１９に挿入する。割りピン１５を第二ヒンジ１２に挿入して抜け止めとする。
【００１８】
図７に示すように、蓋２のバール孔６に小蓋１８が塞ぐように閉塞具８を配置し、バール孔６の両下方に垂設したブラケット７に前記第二ヒンジ１２を挿通させ、割りピン１５により抜け止めとして閉塞具８を蓋２の裏面に装着する。
【００１９】
次に蓋２の開閉について説明する。
【００２０】
図８に示すように、閉塞具８は第二ヒンジ１２をブラケット７の孔２１に嵌めて装着し、小蓋１８はねじりコイルバネ１０の付勢力によりバール孔６を塞いでいる。
【００２１】
先端がＴ字状のバール２２を、図９に示すように、Ｔ字の長手方向がバール孔６の長手方向になるように挿入すると、小蓋１８は下方に押されて略水平に下がると同時に、第一ヒンジ１１と小蓋１８は第二ヒンジ１２を支点に回転し、バール孔６の奥の方向に移動する。小蓋１８は受け枠１１の周壁４４から離れる方向に移動する。
【００２２】
小蓋１８は、図１０に示すように、第二ヒンジ１２に当たって停止する。そこで、バール２２を９０°回転させる。
【００２３】
図１１に示すように、蓋２をこじ上げるようにバール２２の他端を押し下げる。
【００２４】
蓋２が、図１２に示すように、受け枠１の食い込みから開放される。この時点で小蓋１８はねじりコイルバネ１０の付勢力で外周に向かって下方に傾斜した状態になる。小蓋１８は受け枠１の周壁４４内面に当たるが、第一ヒンジ１１は奥に移動することができるので、周壁４４の内面に食い込んで動かなくなることはない。
【００２５】
図１３に示すように、バール孔６にバール２２を挿入した状態で蓋２を上方に引き上げると同時に手前に引く。
【００２６】
図１４に示すように、蓋２を手前に引き出し、左右どちらかに旋回させて受け枠１の開口部が略露出した時点で蓋２を地面に下ろし、バール２２を蓋１より外す。
【００２７】
閉蓋は上記と逆に行う。
【００２８】
図１５、図１６は、浮上防止具２３に蓋２のバール孔６を塞ぐねじりコイルバネ１０で付勢した小蓋２４を備えた閉塞具２５を装着した例である。
【００２９】
カギ状の浮上防止具２３に閉塞具２５を装着する。カギ状の浮上防止具２３の中央部に閉塞具２５を装着し、浮上防止具２３には周壁４４の下端に係合するカギ片２６を設け、蓋２の裏面に懸垂する軸部２７を突設する。第一ヒンジ２８は小蓋２９に挿通させ、さらにねじりコイルバネ３０を嵌め、第一ヒンジ２８はアーム３１に嵌め、先端に割りピン３２を嵌めて抜け止めとする。第二ヒンジ３３はアーム３１に通して、さらに浮上防止具２３に嵌め、先端に割りピン３４を嵌めて抜け止めとする。
【００３０】
図１７に示すように、浮上防止具２３の軸部２７を蓋２の裏面に懸垂させて、ねじりコイルバネ３０の付勢力により小蓋２９でバール孔６を塞ぐ。
【００３１】
図１８に示すように、バール２２のＴ字をバール孔６の長手方向に向けて差し込むと、小蓋２９は下方に押し下げられる。
【００３２】
次に、図１９に示すように、バール２２を９０°回転させると、この浮上防止具２３と閉塞具２５は右方向に回転し、小蓋２９が周壁４４内面に当たるようなことはない。
【００３３】
【発明の効果】
本発明は、上述のように、円形状の受け枠と、受け枠の上部開口を開閉する蓋と、受け枠と蓋とを連結する蝶番と、蓋の蝶番と対向する周縁にバール孔を刻設した地表設置鉄蓋において、蓋のバール孔を塞ぐバネで付勢した小蓋を備えた閉塞具を、バール孔の下方の蓋の裏面に回動自在に設け、閉塞具は、アームに小蓋およびねじコイルバネを外嵌め状に装着させ枢着する第一ヒンジと、さらに枢着し、蓋裏面周縁に立設したブラケットに枢着する第二ヒンジとを備え、バールで小蓋を押し下げると小蓋は周壁に干渉しないように移動し、バールの押し下げ力を解除すると、小蓋はバネの付勢力でバール孔を閉塞するようにした地表設置鉄蓋のバール孔閉塞装置であるので、閉塞蓋の効果が大きく、バール孔を閉塞する小蓋の動きがスムーズで、小蓋を元に復帰しやすい。
【００３４】
また、本発明は、円形状の受け枠と、受け枠の上部開口を開閉する蓋と、受け枠と蓋とを連結する蝶番と、蓋の蝶番と対向する周縁にバール孔を刻設した地表設置鉄蓋において、蓋の裏面に装着した浮上防止具に、蓋のバール孔を塞ぐバネで付勢した小蓋を備えた閉塞具を装着し、バール孔の下方の蓋の裏面に回動自在に設け、バールで小蓋を押し下げると小蓋は周壁に干渉しないように移動し、バールの押し下げ力を解除すると、小蓋はバネの付勢力でバール孔を閉塞するようにした地表設置鉄蓋のバール孔閉塞装置であるので、閉塞蓋の効果が大きく、バール孔を閉塞する小蓋の動きがスムーズで、小蓋を元に復帰しやすい。
【図面の簡単な説明】
【図１】本発明の全体の概要を示す縦断面図である。
【図２】図１の平面図である。
【図３】本発明の要部の縦断面図である。
【図４】図３の平面図である。
【図５】本発明に係る閉塞具の斜視図である。
【図６】本発明に係る閉塞具の分解斜視図である。
【図７】本発明の蓋裏面に閉塞具を設けた状態の斜視図である。
【図８】本発明のねじりコイルバネで付勢された小蓋でバール孔を閉塞した状態の縦断面図である。
【図９】Ｔ字の長手方向がバール孔の長手方向になるようにしてバールをバール孔に挿入し、小蓋を押し下げて小蓋が奥の方向に移動した状態の本発明の縦断面図である。
【図１０】さらにバールを押し下げ、第二ヒンジに当たって停止した状態の本発明の縦断面図である。
【図１１】蓋をこじり上げるようにバールの他端を押し下げた状態の本発明の縦断面図である。
【図１２】蓋が受け枠の食い込みから開放された状態の本発明の縦断面図である。
【図１３】蓋を引き上げた状態の本発明の縦断面図である。
【図１４】蓋を手前に引き、旋回させて開口部を露出させた状態の本発明の縦断面図である。
【図１５】浮上防止具に閉塞具を装着した状態の組立斜視図である。
【図１６】浮上防止具に閉塞具を装着した状態の分解斜視図である。
【図１７】ねじりコイルバネの付勢力により小蓋でバール孔を閉塞する状態を示す本発明の縦断面図である。
【図１８】バールのＴ字をバール孔の長手方向に向けてバール孔に差し込んだ状態の本発明の縦断面図である。
【図１９】バールを９０°回転させた状態の本発明の縦断面図である。
【図２０】従来の地表設置鉄蓋のバール孔閉塞装置の縦断面図である。
【符号の説明】
１…受け枠
２…蓋
３…蝶番
６…バール孔
１０…ねじりコイルバネ（バネの例）
１８…小蓋
２２…バール
８…閉塞具
９…アーム
１１…第一ヒンジ
１２…第二ヒンジ
２３…浮上防止具
３０…ねじりコイルバネ（バネの例）
２９…小蓋
【図１】
2004092109.tif 000003
【図２】
2004092109.tif 000004
【図３】
2004092109.tif 000005
【図４】
2004092109.tif 000006
【図５】
2004092109.tif 000007
【図６】
2004092109.tif 000008
【図７】
2004092109.tif 000009
【図８】
2004092109.tif 000010
【図９】
2004092109.tif 000011
【図１０】
2004092109.tif 000012
【図１１】
2004092109.tif 000013
【図１２】
2004092109.tif 000014
【図１３】
2004092109.tif 000015
【図１４】
2004092109.tif 000016
【図１５】
2004092109.tif 000017
【図１６】
2004092109.tif 000018
【図１７】
2004092109.tif 000019
【図１８】
2004092109.tif 000020
【図１９】
2004092109.tif 000021
【図２０】
2004092109.tif 000022